(57)【要約】      （修正有）【課題】双方向に回してベルト体の締め具合を微調整可能な無段階式微調整バックルを提供する。【解決手段】無段階式微調整バックルは、上蓋１、回転調整機構、基台３を備え、上蓋１中央にはボビン駆動ギア１１を設置し、ボビン駆動ギア１１外縁には複数の逆係合歯１２を環状に設置し、回転調整機構は同軸水平で、反対方向の回転調整作用を備え、制御リング２１、連動リング２２、係合制御リング２３を備え、制御リング２１は上蓋１下方に嵌合し、制御リング２１が反対方向へと回転する時、連動リング２２を下方へと移動させ、これにより係合制御リング２１頂点部の係合制御ブロック２３２を上蓋１の逆係合歯１２から離脱させ、基台３内にはボビン歯ユニット３３を設置し、上蓋１のボビン駆動ギア１１と係合して回転作動し、ベルト体に収束と緩めの機能を提供することができる。【選択図】図２
0003160564.tif 000002
【実用新案登録請求の範囲】
【請求項１】
上蓋、回転調整機構、基台を備え、
前記上蓋内縁は、中央にボビン駆動ギアを設置し、前記ボビン駆動ギア外縁には、複数の逆係合歯を環状に設置し、
前記回転調整機構は、同軸水平で、反対方向の回転調整が可能で、制御リング、連動リング、係合制御リングを備え、前記制御リングは、前記上蓋下方に嵌合し、前記制御リングが、反対方向へと回転する時、前記リングを連動して下方へと移動させ、これにより前記係合制御リング頂点部係合制御ブロックは、下方へと移動し、前記上蓋の逆係合歯を離脱し、
前記基台内には、ボビン歯ユニットを設置し、前記上蓋のボビン駆動ギアと回転作動し、ベルト体の收束と緩めを連動することを特徴とする無段階式微調整バックル。
【請求項２】
請求項１記載の無段階式微調整バックルにおいて、前記上蓋はさらに、複数のガードブロックを備え、
前記ガードブロックは、前記蓋体外縁に設置することを特徴とする無段階式微調整バックル。
【請求項３】
請求項２記載の無段階式微調整バックルにおいて、前記回転調整機構の制御リングはさらに、複数の斜向推抵ブロックを備え、
前記斜向推抵ブロックは、前記制御リング内縁に設置し、
前記制御リングは、前記上蓋のガードブロック外縁に嵌合することを特徴とする無段階式微調整バックル。
【請求項４】
請求項３記載の無段階式微調整バックルにおいて、前記回転調整機構の連動リングはさらに、リング縁、複数の欠口、複数の頂点ブロックを備え、
前記連動リング下縁には、リング縁を設置し、前記連動リング上縁には、前記頂点ブロックを設置し、前記頂点ブロック上縁は、下方から前記制御リングの斜向推抵ブロックを圧迫し、
前記連動リングは、前記制御リング内縁に設置し、前記連動リング側辺には、欠口を設置し、前記上蓋のガードブロックを通して設置することを特徴とする無段階式微調整バックル。
【請求項５】
請求項４記載の無段階式微調整バックルにおいて、前記回転調整機構の係合制御リングはさらに、複数の係合柱を備え、
前記係合柱は、上方へと係合制御ブロックを設置し、
前記係合制御ブロックは、前記上蓋の逆係合歯を押し上げ制御し、
前記係合柱は、外に向かい延伸して、位置限定ブロックを設置し、
前記係合制御リング側辺には、複数の位置限定ブロックを設置し、前記位置限定ブロックは、下方から前記連動リングのリング縁を圧迫することを特徴とする無段階式微調整バックル。
【請求項６】
請求項５記載の無段階式微調整バックルにおいて、前記回転調整機構の係合制御リングはさらに、複数のバネを備え、
前記バネは、前記基台内に設置し、前記バネには、前記係合制御リングの係合柱を通して設置することを特徴とする無段階式微調整バックル。
【請求項７】
請求項１記載の無段階式微調整バックルにおいて、前記基台はさらに、台蓋、底台、結合台を備え、
前記台蓋は、前記底台と結合し、
前記底台は、前記結合台内に設置して結合し、
前記結合台を、物件上に結合することを特徴とする無段階式微調整バックル。
【考案の詳細な説明】
【技術分野】
【０００１】
本考案は双方向に回してベルト体の締め具合を微調整可能なバックルに関し、特にベルト体を緩めることができる無段階式微調整バックルに関する。
【背景技術】
【０００２】
図７〜９に示すように、従来のバックルにおいて、回して、ベルト体を収束する時には、回転蓋４を回して係合させ、回転蓋４の内ギア４１と外ギア４２を同時に回転動させる。内ギア４１とボビン５の回転ギア５１との相互噛み合いにより、ボビン５の同期回転動を連動する。これにより、ベルト体を収束してボビン５の車軸５２上に縛り、同時に、外ギア４２と係合制御部品６の係合歯６１は、同期に噛み合い嵌合する。こうして、ボビン５は、単一方向回転動のみが可能となり、ボビン５が反対方向に回転して緩み、脱落することを防止する機能を備え、これによりひも体を収束する効果を達成する。
回転蓋４の回転動作時には、係合制御部品６下方に連設する弾性片６２は、上、下垂直式の均一弾性を、上方の係合歯６１に伝え、これにより係合歯６１は、回転蓋４の外ギア４２と相互に係合制御される。こうして、回転蓋４の回転動は、さらに安定し、スムーズとなる。
【０００３】
ベルト体を緩める時には、回転蓋４を上方へと引いて作動させるだけで、ピボット７を連動し、台体８の通孔８１中において、上方へと移動させる。これにより、可動台８２の凸ブロック８３は、ピボット７の上、下環状槽７１中において、係合制御され、停止し、ピボット７を、可動台８２内に制限し、離脱を回避することができる。この時、回転蓋４の内ギア４１とボビン５の回転ギア５１とは離脱し、しかも外ギア４２もまた、係合制御部品６の係合歯６１と、離脱状態を形成する。
これにより、回転蓋４は空転状態を呈し、ボビン５は、回転蓋４の係合制御作用を受けなくなり、こうしてベルト体を緩める効果を達成する。
【考案の概要】
【考案が解決しようとする課題】
【０００４】
しかし、従来のバックルでは、ベルト体がきつ過ぎる際に、ベルト体全部を緩めるためには、回転蓋を上方へと垂直に引き、それと係合制御部品の係合歯とを離脱させ、ボビンが回転蓋の係合制御作用を受けない状態とする必要がある。しかも、ベルト体全部を緩めた後、使用者は、再度ベルト体を改めて回転させ収束しなければならない。さらにはその際には、再びきつく締め過ぎないように注意する必要があり、ベルト体の締め具合を微調整する機能を備えてない。そのため、使用において極めて不便である。本考案は、従来のバックルの上記した欠点に鑑みてなされたものである。
【０００５】
本考案の目的は、双方向に回してベルト体の締め具合を微調整可能な無段階式微調整バックルを提供することである。
【課題を解決するための手段】
【０００６】
上述の目的を達成するため、本考案は下記の無段階式微調整バックルを提供する。
無段階式微調整バックルは、上蓋、回転調整機構、基台を備え、
該上蓋は、中央にボビン駆動ギアを設置し、該ボビン駆動ギア外縁には、複数の逆係合歯を環状に設置し、
該回転調整機構は、同軸水平で、反対方向の回転調整作用を備え、制御リング、連動リング、係合制御リングを備え、
該制御リングは、該上蓋下方に嵌合し、該制御リングが、反対方向へと回転する時、該リングを連動して下方へと移動させ、これにより該係合制御リング頂点部の係合制御ブロックを、該上蓋の逆係合歯から離脱させ、
該基台内には、ボビン歯ユニットを設置し、該上蓋のボビン駆動ギアと係合して回転作動し、こうしてベルト体に、収束と緩めの機能を提供することができる。
【考案の効果】
【０００７】
本考案無段階式微調整バックルは、回転調整機構の制御リングを利用し、同軸水平で、反対方向の回転調整を行い、制御リング斜向推抵ブロックの斜推面により連動リングを作動させ、これにより係合制御リングの係合制御ブロックは、上蓋の逆係合歯から間歇的に離脱し、基台内のボビン歯ユニットは逆回転を作動し、こうしてベルト体を微調整する効果を達成することができる。
【図面の簡単な説明】
【０００８】
【図１】本考案無段階式微調整バックルの外観立体図である。
【図２】本考案無段階式微調整バックルの分解表示図である。
【図３】本考案無段階式微調整バックル断面表示図である。
【図４】本考案無段階式微調整バックルの後視断面表示図である。
【図５】本考案無段階式微調整バックルのもう一つの後視断面表示図である。
【図６】本考案無段階式微調整バックルの制御リングの反対方向への回転動作を示す表示図である。
【図７】従来のバックルの分解表示図である。
【図８】従来のバックルの断面表示図である。
【図９】従来のバックルの回転蓋を上方へと引く動作を示す表示図である。
【考案を実施するための形態】
【０００９】
図１〜４に示すように、本考案無段階式微調整バックルにおいて、バックルは、一般の鞋に実施するが、これに限定するものではなく、他の口を閉じて締める機能に実施することができる。
【００１０】
本考案無段階式微調整バックルは、上蓋１、回転調整機構２、基台３を備える。
上蓋１は、中央にボビン駆動ギア１１を設置する。ボビン駆動ギア１１外縁には、複数の逆係合歯１２を環状に設置し、蓋体外縁には、複数のガードブロック１３を設置する。
回転調整機構２は、同軸水平で、反対方向の回転調整作用を備え、制御リング２１、連動リング２２、係合制御リング２３を備える。制御リング２１のリング体内縁には、複数の斜向推抵ブロック２４を設置し、推抵ブロック２４は、斜推面２４１を備え、制御リング２１は、上蓋１のガードブロック１３外縁に嵌合する。連動リング２２は、リング縁２２１、複数の頂点ブロック２２２を備える。連動リング２２下縁には、リング縁２２１を設置し、上縁には、頂点ブロック２２２を設置する。頂点ブロック２２２上縁は、制御リング２１斜向推抵ブロック２４の斜推面２４１頂点部に接触して押し上げる。連動リング２２は、制御リング２１内縁に設置する。連動リング２２側辺には別に、複数の欠口２２３を設置し、上蓋１のガードブロック１３を通過させ、組合せて設置する。係合制御リング２３は、複数の係合柱２３１を連結する。係合柱２３１上には、斜向ガイドスライド作用を備える係合制御ブロック２３２を形成する。各係合柱２３１は、外に向かい位置限定ブロック２３３を垂直に延伸する。別に、各係合柱２３１底端には、バネ２３４を組合せて設置し、基台３内に設置する。係合制御リング２３頂点部の係合制御ブロック２３２は、バネ２３４の弾力を受け、上蓋１の逆係合歯１２を押し上げ制御し、係合制御リング２３の位置限定ブロック２３３は、連動リング２２のリング縁２２１に接触して制御する。
基台３下方には、底台３１を備え、上方には、対応して接合する台蓋３２を設置する。底台３１片側には、ベルト体を巻きつけるボビン歯ユニット３３を収容設置し、反対側には、係合制御リング２３を組合せて設置する弧状環状槽３４、及び回転調整機構２の位置を径方向に限定する軸柱３５を設置する。台蓋３２頂点部には、頂点孔３２１を設置し、側辺には、複数の定位ブロック３２２を環状に設置する。定位ブロック３２２上には、係合制御ブロック２３２を上方へと貫通させる穿孔３２３、及び位置限定ブロック２３３を横方向へと通過させる位置限定孔３２４を設置する。底台３１は、台蓋３２に相対して組合せ後、栓体により、結合台３６上に組合せて設置し、結合台３６を、物件上に固定して設置し、こうしてベルト体に作動を提供する機構を形成する。
【００１１】
図１〜４に示すように、無段階式微調整バックルの組合せ実施時には、回転調整機構２係合制御リング２３の係合柱２３１底端を、バネ２３４に組合せて設置し、底台３１の弧状環状槽３４中に一体に設置し、台蓋３２を、底台３１に蓋合して固定する。これにより、係合制御リング２３の係合制御ブロック２３２は、台蓋３２定位ブロック３２２の穿孔３２３を貫通して設置され、位置限定ブロック２３３は、位置限定孔３２４を貫通して設置される。連動リング２２のリング縁２２１を、係合制御リング２３の位置限定ブロック２３３上縁に接触させ、制御リング２１を、連動リング２２外縁に被せる。制御リング２１斜向推抵ブロック２４の斜頂縁２４１は、連動リング２２頂点ブロック２２２の上縁に位置し、上蓋１のガードブロック１３を、下方へと制御リング２１、連動リング２２の欠口２２３に通して設置する。上蓋１のボビン駆動ギア１１は、基台３の頂点孔３２１を経由して、軸柱３５上に嵌合し、ボビン歯ユニット３３と噛み合い可動結合する。上蓋１の逆係合歯１２と係合制御リング２３の係合制御ブロック２３２とは噛み合い、さらに底台３１を、結合台３６上に組合せて設置し、結合台３６を、物件上に固定して設置する。機構が損壊した時には、それと結合台３６とを分離するだけで良く、こうして機構を迅速に交換して、物件の使用を続けることができるため、物件を廃棄するという資源の浪費を回避することができる。
【００１２】
図３〜６に示すように、本考案の無段階式微調整バックルの使用実施時には、上蓋１は、回転調整機構２制御リング２１と組合せて設置し、軸柱３５により、基台３上に組合せて設置するため、時計回りに制御リング２１を回すと、連動リング２２は、上蓋１のガードブロック１３と連動リング２２の欠口２２３により、可動結合され、同期に回転動する。これにより、係合制御リング２３の係合制御ブロック２３２は、上蓋１の逆係合歯１２において、単一方向のガイドスライド作動を行い、噛み合う。こうして、ボビン駆動ギア１１はベルト体を巻きつけたボビン歯ユニット３３を同期に作動させ、ベルト体は、物件を締めることができる。ベルト体は物件をきつく閉め過ぎた時には、上蓋１を、回転調整機構２の制御リング２１と共に、同軸水平の逆時計周りに回す。制御リング２１斜向推抵ブロック２４の斜推面２４１は、連動リング２２の頂点ブロック２２２を下方へと押しつけるため、連動リング２２は、欠口２２３により、上蓋１のガードブロック１３に沿って、頂点ブロック２２２が、斜推面２４１の底部に至るまで、下方へと移動する。しかも、連動リング２２のリング縁２２１もまた、同期に係合制御リング２３係合柱２３１の位置限定ブロック２３３を圧迫するため、係合柱２３１は下方へとバネ２３４を圧縮する。この時、係合柱２３１の係合制御ブロック２３２は、間歇的に、下方へと上蓋１の逆係合歯１２を離脱する。上蓋１が反対方向へと回転し、しかもボビン駆動ギア１１を連動すると、ボビン歯ユニット３３を同時に作動させ、反対方向へ回転させる。連動リング２２と係合制御リング２３との反復連続作動により、本考案のベルト体の緩め微調整機能を達成する。ベルト体を緩めようとする時には、制御リング２１を上方へと引き上げ、軸柱３５の上方への移動を連動する。これにより、逆係合歯１２と係合制御リング２３の係合制御ブロック２３２とは離脱し、ボビン駆動ギア１１はまた、ボビン歯ユニット３３と分離する。こうして、ボビン歯ユニット３３内のベルト体は、緩んだ状態となる。
【００１３】
上記したように、本考案の無段階式微調整バックルは、回転調整機構の制御リングを利用し、同軸水平で、反対方向の回転調整を行い、制御リング斜向推抵ブロックの斜推面により連動リングを作動させ、これにより係合制御リングの係合制御ブロックは、上蓋の逆係合歯から間歇的に離脱し、基台内のボビン歯ユニットは逆回転を作動し、こうしてベルト体を微調整する効果を達成することができる。
【符号の説明】
【００１４】
１  上蓋
１１  ボビン駆動ギア
１２  逆係合歯
１３  ガードブロック
２  回転調整機構
２１  制御リング
２２  連動リング
２２１  リング縁
２２２  頂点ブロック
２２３  欠口
２３  係合制御リング
２３１  係合柱
２３２  係合制御ブロック
２３３  位置限定ブロック
２３４  バネ
２４  推抵ブロック
２４１  斜推面
３  基台
３１  底台
３２  台蓋
３２１  頂点孔
３２２  定位ブロック
３２３  穿孔
３２４  位置限定孔
３３  ボビン歯ユニット
３４  環状槽
３５  軸柱
３６  結合台
４  回転蓋
４１  内ギア
４２  外ギア
５  ボビン
５１  回転ギア
５２  車軸
６  係合制御部品
６１  係合歯
６２  弾性片
７  ピボット
７１  環状槽
８  台体
８１  通孔
８２  可動台
８３  凸ブロック
【図１】
0003160564.tif 000003
【図２】
0003160564.tif 000004
【図３】
0003160564.tif 000005
【図４】
0003160564.tif 000006
【図５】
0003160564.tif 000007
【図６】
0003160564.tif 000008
【図７】
0003160564.tif 000009
【図８】
0003160564.tif 000010
【図９】
0003160564.tif 000011
【手続補正書】
【提出日】平成22年4月20日(2010.4.20)
【手続補正１】
【補正対象書類名】実用新案登録請求の範囲
【補正対象項目名】全文
【補正方法】変更
【補正の内容】
【実用新案登録請求の範囲】
【請求項１】
上蓋、回転調整機構、基台を備え、
前記上蓋内縁は、中央にボビン駆動ギアを設置し、前記ボビン駆動ギア外縁には、複数の逆係合歯を環状に設置し、
前記回転調整機構は、同軸水平で、反対方向の回転調整が可能で、制御リング、連動リング、係合制御リングを備え、前記制御リングは、前記上蓋下方に嵌合し、前記制御リングが、反対方向へと回転する時、前記連動リングを連動して下方へと移動させ、これにより前記係合制御リングの頂点部の係合制御ブロックは、下方へと移動し、前記上蓋の逆係合歯を離脱し、
前記基台内には、ボビン歯ユニットを設置し、前記上蓋のボビン駆動ギアと回転作動し、ベルト体の收束と緩めを連動することを特徴とする無段階式微調整バックル。
【請求項２】
請求項１記載の無段階式微調整バックルにおいて、前記上蓋はさらに、複数のガードブロックを備え、
前記ガードブロックは、蓋体外縁に設置することを特徴とする無段階式微調整バックル。
【請求項３】
請求項２記載の無段階式微調整バックルにおいて、前記回転調整機構の制御リングはさらに、複数の斜向推抵ブロックを備え、
前記斜向推抵ブロックは、前記制御リング内縁に設置し、
前記制御リングは、前記上蓋のガードブロック外縁に嵌合することを特徴とする無段階式微調整バックル。
【請求項４】
請求項３記載の無段階式微調整バックルにおいて、前記回転調整機構の連動リングはさらに、リング縁、複数の欠口、複数の頂点ブロックを備え、
前記連動リング下縁には、リング縁を設置し、前記連動リング上縁には、前記頂点ブロックを設置し、前記頂点ブロック上縁は、下方から前記制御リングの斜向推抵ブロックを圧迫し、
前記連動リングは、前記制御リング内縁に設置し、前記連動リング側辺には、欠口を設置し、前記上蓋のガードブロックを通して設置することを特徴とする無段階式微調整バックル。
【請求項５】
請求項４記載の無段階式微調整バックルにおいて、前記回転調整機構の係合制御リングはさらに、複数の係合柱を備え、
前記係合柱は、上方へと係合制御ブロックを設置し、
前記係合制御ブロックは、前記上蓋の逆係合歯を押し上げ制御し、
前記係合柱は、外に向かい延伸して、位置限定ブロックを設置し、
前記係合制御リング側辺には、複数の位置限定ブロックを設置し、前記位置限定ブロックは、下方から前記連動リングのリング縁を圧迫することを特徴とする無段階式微調整バックル。
【請求項６】
請求項５記載の無段階式微調整バックルにおいて、前記回転調整機構の係合制御リングはさらに、複数のバネを備え、
前記バネは、前記基台内に設置し、前記バネには、前記係合制御リングの係合柱を通して設置することを特徴とする無段階式微調整バックル。
【請求項７】
請求項１記載の無段階式微調整バックルにおいて、前記基台はさらに、台蓋、底台、結合台を備え、
前記台蓋は、前記底台と結合し、
前記底台は、前記結合台内に設置して結合し、
前記結合台を、物件上に結合することを特徴とする無段階式微調整バックル。